(57)【要約】【課題】  固定しにくく柔らかく変形しやすい布状物に硬い塊の永久磁石が、布状物を団子状態にしないようにして確実に固着され、固着した永久磁石に肌が直接接触可能な磁石付き布状物を提供する。【解決手段】  布状物９の表面９ａには、上面を丸面に磨き加工をした扁平な円形の永久磁石３の裏面３ｂに屈曲可能な金属製の細長い突起体４が複数突設された磁石保持体１が複数配され、該布状物９の裏面９ｂには、前記各突起体４の配置に対応した位置に配置されて各突起体４が挿通可能な挿通孔５を備えた磁性金属板２がそれぞれ配され、前記布状物９を貫いて前記磁性金属板２の各挿通孔５から突出させた前記磁石保持体１の各突起体４の突出部分が屈曲されて永久磁石３が布状物９に固着される。【選択図】  図1
0003145784.tif 000002
【実用新案登録請求の範囲】
【請求項１】
布状物の表面には、永久磁石の裏面に屈曲可能な金属製の細長い突起体が複数突設された磁石保持体が複数配され、該布状物の裏面には、前記各突起体の配置に対応した位置に配置されて各突起体が挿通可能な挿通孔を備えた磁性金属板がそれぞれ配され、前記布状物を貫いて前記磁性金属板の各挿通孔から突出させた前記磁石保持体の各突起体の突出部分が屈曲されて前記磁石が前記布状物に固着されたことを特徴とする請求項１に記載の磁石付き布状物。
【請求項２】
突起体が、磁石の裏面に固着可能な形状の面を備えた付着板を介して前記磁石に固着されたことを特徴とする請求項１に記載の磁石付き布状物。
【請求項３】
磁石を、表面が丸面に磨き加工された扁平な磁石としたことを特徴とする請求項１又は２に記載の磁石付き布状物。
【請求項４】
突起体が、少なくとも金属製の板状物又は線状物のいずれかであることを特徴とする請求項１から３のうちいずれかに記載の磁石付き布状物
【請求項５】
布状物に、相互に適当間隔を保って固着された複数の磁石保持体の磁石が、該磁石同士が全周に渡って相互に反発し合うようにＮＳ磁極を方向付けされて、固着されたことを特徴とする請求項１から４のうちいずれかに記載の磁石付き布状物。
【請求項６】
複数の磁石保持体の布状物への相互の固着位置を、布状物を平面的に広げたとき、各磁石保持体の隣り合う永久磁石の磁力の及ぶ範囲内の位置としたことを特徴とする請求項１から５のうちいずれかに記載の磁石付き布状物。
【考案の詳細な説明】
【技術分野】
【０００１】
本考案は、永久磁石を固着した磁石付きの布状物に関する。
【背景技術】
【０００２】
磁石の磁力線は人体の細胞組織に影響を及ぼし０．２〜１．８テスラ程度に磁力が当てられると健康に良い影響がもたらされる。
しかし、硬い塊である磁石は衣類などの布類に固着しようとしても簡単に固着することができない。
その理由は、布類は硬さが殆どなく不規則に拠れ曲がり、このとうな布類に付着した磁石同士が互いに吸着しあって団子状態となってしまって広げて使用するものとしては極めて扱いにくいことと、柔らかい布類と、全く異質な硬い塊である磁石とは互いに馴染み難いことなどが挙げられる。
そこで、例えば、下記特許文献１には磁石を布で包む方法と接着テープで貼る方法により布類に固定された健康下着が提案されている。また、下記特許文献２には台紙に磁石を固定した磁気腹巻が提案されている。
【特許文献１】特開２０００−３１４００１号公報
【特許文献２】実開平７−２４３４３号公報
【考案の開示】
【考案が解決しようとする課題】
【０００３】
しかしながら、上記特許文献１に記載された接着テープで磁石を布に貼る場合には、使用中に磁石が衝撃や圧力を受けて位置が移動したり、粘着材が布類に伸展して周囲に汚れが広がるという難点があり、また表裏の布類に挟んで包むように固定した場合には、縫い合わせに手間がかるだけではなく、中の磁石が直接肌に接触しないので皮膚から身体に入る磁力が弱まってしまう結果、磁力効率が低下するという難点がある。
また上記特許文献２に記載のように台紙に磁石を固定した場合には、台紙で布類の変形自由性が損なわれることになるので、形状が固定された物品には使用可能かもしれないが自由に変形する衣類には使用不適である。
そこで本考案の目的は、柔軟に拠れて固定しにくい布状物に対して、それとは異質の硬い塊である永久磁石が確実に固着され、また磁石同士の吸着による団子状態が起こらず、さらに肌が直接永久磁石に接触可能となる磁石付き布状物を提供することにある。
【課題を解決するための手段】
【０００４】
上記課題を解決するために本考案の磁石付き布状物における請求項１の考案においては、  布状物の表面には、永久磁石の裏面に屈曲可能な金属製の細長い突起体が複数突設された磁石保持体が複数配され、該布状物の裏面には、前記各突起体の配置に対応した位置に配置されて各突起体が挿通可能な挿通孔を備えた磁性金属板がそれぞれ配され、前記布状物を貫いて前記磁性金属板の各挿通孔から突出させた前記磁石保持体の各突起体の突出部分が屈曲されて前記磁石が前記布状物に固着されたことを特徴とする。
【０００５】
請求項２に記載の考案は、上記考案において、前記突起体が、磁石の裏面に固着可能な形状の面を備えた付着板を介して前記磁石に固着されたことを特徴とする。
【０００６】
請求項３に記載の考案は、上記各考案において、前記磁石を、表面が丸面に磨き加工された扁平な磁石としたことを特徴とする。
【０００７】
請求項４に記載の考案は、上記各考案において、前記突起体が、少なくとも金属製の板状物又は線状物のいずれかであることを特徴とする。
【０００８】
請求項５に記載の考案は、上記各考案において、前記布状物に、相互に適当間隔を保って固着された複数の磁石保持体の磁石が、該磁石同士が全周に渡って相互に反発し合うようにＮＳ磁極を方向付けされて、固着されたことを特徴とする。
【０００９】
請求項６に記載の考案は、上記各考案において、前記複数の磁石保持体の布状物への相互の固着位置を、布状物を平面的に広げたとき、各磁石保持体の隣り合う永久磁石の磁力の及ぶ範囲内の位置としたことを特徴とする。
【考案の効果】
【００１０】
本考案は、磁石保持体と磁性金属板との間に布状物を挟んで磁性金属板の各挿通孔から突出させた磁石保持体の各突起体を屈曲させるとその突き出た突起体の屈曲部が各挿通孔から抜けなくなる。このとき、拠れ易い布状物であっても、その表裏から永久磁石の裏面と磁性金属板の上面で挟まれるので前記永久磁石を布状物へ確実に固着させることが可能となる。このため使用中に布状物から永久磁石が剥がれ落ちる心配がなく、また定位置に配置された永久磁石の位置が別の場所に移動してしまう虞もなくなる。このように布状物に対して接着剤や粘着材を直接使用して固着するのではないので周囲に糊汚れが発生するおそれはなくなった。
また、永久磁石の表面は露出状態となっているので、磁石が肌に直接接触でき、身体に対して磁力の減衰がなく効果的に作用させることが可能となる。
さらに、布状物の裏側には磁性金属板を配することによって、表側の永久磁石の吸引力が布状物を挟み付ける力となって磁性金属板を引き付けて、永久磁石をより強く布状物に固定可能となり且つ磁性金属板が永久磁石の磁力を背面から強化し、健康増進機能をより高めることが可能となる。
なお、細長い突起体は先端部も細いので刺すときに布状物の刺し傷が小さく、繊維の解れを最小に止め、その先端側を指などで折り曲げるという簡単な作業で布状物に永久磁石を固着することが可能となる。
【００１１】
また、従来の磁石付きの布では単に布状物に固着しただけなので磁石同士で吸引しあって布状物の平面性が維持できない問題があるが、本発明の複数の磁石保持体の永久磁石同士が全周に渡って相互に反発し合うようにＮＳ磁極を方向付けされて布状物に固着された形態では、隣り合う永久磁石のＮ極又はＳ極同士が相互に反発し合う結果、布状物が塊にならず、されに永久磁石の磁力が及ぶ範囲の間隔で布状物の表面に永久磁石を配着した形態では、隣り合う永久磁石の相互の反発力で布状物の平面性を積極的に維持させることが可能となる。
この結果、本発明の布状物は、強固に固着された永久磁石の磁力線によって健康増進機能が発揮されると同時に布状物としての柔軟な変形機能が損なわれずに平面性が維持されることで、衣類や寝具などの生地として有効に使用することが可能となる。
【考案を実施するための最良の形態】
【００１２】
本考案の磁石付きの布状物について、実施するための形態を以下説明する。
【００１３】
本考案は、図１、図２、図３及び図４に示すように、織物や編み物の布や、薄くて硬さの少ないシート状物や皮革などの各種の布状物９の表面９ａに対して、指などで屈曲可能な金属製の細長い突起体４が扁平な円形の永久磁石３の裏面３ｂに複数突設された磁石保持体１が複数配される。
また布状物９の裏面９ｂに対して、前記各突起体４の配置に対応した位置に配置されて各突起体４の挿通を可能とした挿通孔５を備えた磁性金属板２が配置される。
そして、図１に示すように、前記磁石保持体１と前記磁性金属板２との間に布状物９を挟んで磁性金属板２の各挿通孔５から突出させた磁石保持体１の各突起体４の先端側４ａを、図４に示すように、屈曲させて前記永久磁石３が布状物９に固着される。
【００１４】
前記永久磁石３は長い棒磁石は使用不適であり扁平な円板形が適している。その形状は約８ｍｍ〜２０ｍｍ径の円形か略円形のものが使用に適しており、肉厚は３〜５ｍｍ程度のものが適しているが、それ以上では重量の点及び表面から大きく突出される点で好ましくなく、中央に孔があっても、なくてもどちら良い。特にその表面３ａは丸面に磨き加工をした円形の永久磁石３が最適である。
前記永久磁石３は、磁力線の強さが人体の細胞組織に影響を及ぼす０．２〜１．８テスラ程度とし、フェライト系の磁石が磨き加工に適しており、表面を光沢が出るまで磨いたものでは、表面に油脂などの汚れが付着しにくく、特に、洗濯が困難な点を考慮すると拭けば簡単に汚れを落とせるので好ましい。
【００１５】
前記突起体４を前記永久磁石３の裏面３ｂに固着するには、図５に示すように、真鍮などの指で屈曲可能な金属製の板を用いて、中央の円板状の付着体７とその両側に突出した細長い突起体４とを一体的に形成する。そして、両側の突起体４を板面に直角で同一に平行になるように屈曲し、該付着体７の突起体４の屈曲側と反対側面に接着剤を介して前記永久磁石３裏面３ｂに固着する。
使用する接着剤は金属同士が強固に固着されるように、エポキシ樹脂系などの付着強度に優れたものを用いる。
【００１６】
これとは別に、前記突起体４と前記永久磁石３との固着については、図６に示すように、上記円板状の前記付着体７と前記永久磁石３の裏面３ｂとの間に別の付着板６を介して前記永久磁石３裏面３ｂに前記突起体４を固着することもできる。この場合、前記付着板６を前記永久磁石３の裏面３ｂの形状と同形状の板面とすれば、接着剤が使用される面積を大きくでき、付着力が必要な前記永久磁石３の裏面３ｂに対して更に強固に前記突起体４を固着することが可能となる。
【００１７】
またこれとは別に、前記突起体４は前記永久磁石３の裏面３ｂへ直接固着することも可能である。例えば、図７に示すように、線状物である突起体４を前記永久磁石３の裏面３ｂに溶接や接着材（図７中、符号８で示す固着部）で直接固着することも可能である。この図７では前記突起体４が線状物の場合であるが、これとは別に板状物を前記永久磁石３の裏面３ｂへ直接固着することも可能である。
前記突起体４は図７に示す線状物や、図５及び図６に示す板状物の使用が可能であるが、その場合、前記磁性金属板２に設ける挿通孔５は、それらの形状に対応させた丸い挿通孔５や細長い長方形の挿通孔５が設けることで前記線状物や板状物が挿通可能となる。
そして、前記磁性金属板２の各挿通孔５から突出させた各突起体４の先端側４ａは、図４に示すように、屈曲させて前記永久磁石３が布状物９に固着され、前記突起体４の屈曲は、図１に示すように、外向きにしても、またそれとは逆に内向きにしてもどちらでも良く、いずれも屈曲によって挿通孔５から抜けないようになる。
また、線状物の場合では長いものでは両者を結んで固着すればその線が切れない限り抜ける心配がなくなる。
なお、前記突起体４の数は前記永久磁石３の裏面３ｂに２本以上とし、３本でも４本でも可能である。
【００１８】
前記磁性金属板２には磁性を有する鉄製などの板を用いることができ、そのような素材で作られた磁性金属板２は、布状物９を挟んで前記永久磁石３の裏面３ｂと接近状態で固着されると、前記永久磁石３の磁力が強化され、その強力な磁力で健康促進効果を高めることが可能となる。
【００１９】
また本考案では、図２に示すように、布状物９を平面的に広げたとき、複数の永久磁石３が布状物の表面に適当な間隔を設けて固着しても良いが、隣り合う永久磁石は相互に磁力が及ぶ範囲内の間隔で布状物の表面に永久磁石を配着するのがより好ましい。
その際には、設定された区画内毎に又は全区画において永久磁石の磁極ＮＳの存在方向を前記布状物に対して同方向に直立するように設ける。このことによって、布状物９の表面９ａの隣り合う永久磁石が相互の反発力を及ぼし合い、即ち永久磁石のＮ極又はＳ極同士が相互に反発し合い、相互間の布状物が広がる方向に力が働いて、布状物が塊になることなく平面性を維持させることが可能となる。
布状物の表面の隣り合う永久磁石が相互の反発力を及ぼし合い、相互間の布状物には広がる方向に引張力が働いて、布状物の平面性が積極的に維持されるようになる。
【００２０】
前記設定された区画とは、例えば、衣類の場合では、背中と腹周りなど磁気作用が有効とされる区画であり、本考案では各区画内毎に永久磁石の磁極が前記布状物に対して同方向に直立するように設けるものである。即ち、ある区画（例えば背中）と、それとは別の区画（例えば腹回り）では逆方向に直立させても良い。
【産業上の利用可能性】
【００２１】
本考案の永久磁石の取り付け対象となる布状物は、織物や編み物等の布類、薄くて硬さの少ないシート状物類、皮革類等であり、これらの布状物の使用される用途としては、直接肌上に着る肌着等の衣類、肩パット、ベルト等の装身具、シーツ、毛布、枕等の寝具、履物、自動車の座席シート、その他各種布状物の加工製品として使用することが可能である。
【図面の簡単な説明】
【００２２】
【図１】本考案の縦断側面図である。
【図２】本考案の表面から見た斜視図である
【図３】布状物の表面から見た要部の斜視図である。
【図４】布状物の背面から見た要部の斜視図である
【図５】本考案で使用される磁石保持体と磁性金属板の斜視図である。
【図６】別形態の磁石保持体と磁性金属板の斜視図である。
【図７】また別の形態の磁石保持体と磁性金属板の斜視図である。
【符号の説明】
【００２３】
１    磁石保持体
２    磁性金属板
２ａ  磁性金属板の下面
３    永久磁石
３ａ  永久磁石の表面
３ｂ  永久磁石の裏面
４    突起体
４ａ  突起体の先端
５    挿通孔
６    付着板
６ａ  付着板の下面
７    付着体
８    固着部
９    布状物
９ａ  布状物の表面
９ｂ  布状物の裏面
【図１】
0003145784.tif 000003
【図２】
0003145784.tif 000004
【図３】
0003145784.tif 000005
【図４】
0003145784.tif 000006
【図５】
0003145784.tif 000007
【図６】
0003145784.tif 000008
【図７】
0003145784.tif 000009